(57)【要約】【課題】ガード部材に付着した結露水や霜が、商品収納域に至る事態を確実に防止すること。【解決手段】吹出口４１から吸込口４２に冷却された空気を流通させるショーケース１０において、空気流通ダクト４０の内部に配設され、商品が吸込口４２を通過することを阻止する板状のガード部材６０を備え、ガード部材６０は、空気の流通方向の上流側となる先端部を、この先端部よりも下方に位置する吸込口４２の縁部に対して、空気の流通方向の下流側に退避した位置に配置したものである。【選択図】        図３
2010019513.tif 000002
【特許請求の範囲】
【請求項１】
商品を陳列するための商品収納域が内部に画成され、この商品収納域と外部とを連通する態様で開口部が形成された商品陳列ケースと、
冷却された空気を吹き出すための吹出口に対向する態様で、前記商品陳列ケースの開口部に吸込口が形成された空気流通ダクトとを備え、
前記吹出口から前記吸込口に冷却された空気を流通させるショーケースにおいて、
前記空気流通ダクトの内部に配設され、商品が前記吸込口を通過することを阻止する板状のガード部材を備え、
前記ガード部材は、
空気の流通方向の上流側となる先端部を、この先端部よりも下方に位置する前記吸込口の縁部に対して、空気の流通方向の下流側に退避した位置に配置したものである
ことを特徴とするショーケース。
【請求項２】
前記ガード部材は、前記先端部から空気の流通方向の下流側に向かうにつれて漸次下方に傾斜する態様で配設したものであることを特徴とする請求項１に記載のショーケース。
【請求項３】
前記ガード部材は、複数の板状部材を互いにそれぞれ間隔を確保した状態で並設して構成し、
前記板状部材における空気の流通方向の上流側となる先端部を、この先端部よりも下方に位置する前記吸込口の縁部に対して、空気の流通方向の下流側に退避した位置にそれぞれ配置したものであることを特徴とする請求項１に記載のショーケース。
【発明の詳細な説明】
【技術分野】
【０００１】
本発明は、ショーケースに関するものである。
【背景技術】
【０００２】
従来、ショーケースは、例えば、図４に示すように、内部に商品陳列ケース１が構成された本体キャビネット２を備えている。本体キャビネット２は、上面に開口部２ａを有した箱状に構成されている。商品陳列ケース１は、商品を陳列するためのもので、本体キャビネット２の側壁に底板１ａおよび一対のケース側板１ｂを適宜支持させることにより、上面が開口した箱状に構成されている。このような商品陳列ケース１と本体キャビネット２との間には、空気流通ダクト３が形成されている。また、商品陳列ケース１の一方のケース側板１ｂと本体キャビネット２の上壁との間には、空気流通ダクト３の吹出口４が形成されている一方、商品陳列ケース１の他方のケース側板１ｂと本体キャビネット２の上壁との間には、空気流通ダクト３の吸込口５が形成されている。
【０００３】
空気流通ダクト３の内部には、送風ファン６および冷却手段７が設けてある。送風ファン６は、駆動した場合に、空気流通ダクト３の内部において吸込口５側から吹出口４側に空気を送出するものである。冷却手段７は、駆動した場合に、空気流通ダクト３の内部において送風ファン６が吹出口４側に送出する空気を冷却するものである。
【０００４】
このショーケースでは、送風ファン６および冷却手段７を駆動すると、冷却手段７によって冷却・除湿された空気が吹出口４から吸込口５に向けて吹き出されてエアカーテンが形成されることになる。その後、吸込口５から吸い込まれた空気は、空気流通ダクト３を通じて冷却・除湿されながら再び吹出口４に送出されることになる。したがって、前述したエアカーテンにより、商品陳列ケース１の内部（以下、「商品収納域１ｃ」と称する）を冷却することができる。
【０００５】
また、上記ショーケースでは、図４に示すように、商品陳列ケース１における他方のケース側板１ｂの上端部を折り曲げることにより、ガード部８が形成してあり、このガード部８が吸込口５に臨む態様で配置されている。ガード部８は、他方のケース側板１ｂの上端部を対向する本体キャビネット２の側壁に向かうにつれて漸次下方に傾斜するように屈曲した後、上方に向けて屈曲延在して形成された部分である。このガード部８には、多数の吸込孔（図示せず）が形成され、かつ空気流通ダクト３の内部に臨む部位にヒータ９が設けられている。
【０００６】
従来のショーケースでは、他方のケース側板１ｂのガード部８を吸込口５に臨む態様で配置することにより、吸込口５から空気流通ダクト３への空気の流通を許容する一方、商品が吸込口５を通過して空気流通ダクト３の内部下方に落下する事態を防止している。ところで、上述したように送風ファン６および冷却手段７の駆動を継続していると、やがてガード部８に結露水が付着し、その付着した結露水が霜となることがある。そこで、従来のショーケースでは、ガード部８に多数の吸込孔（図示せず）を形成し、かつ該ガード部８を対向する本体キャビネット２の側壁に向けて屈曲して形成することにより、結露水や、ヒータ９の駆動により溶解した霜が、商品収納域１ｃに落下する事態を防止している（例えば、特許文献１参照）。
【０００７】
【特許文献１】特開２００２−１８８８８０号公報
【発明の開示】
【発明が解決しようとする課題】
【０００８】
しかしながら、従来のショーケースでは、ガード部８における最も吹出口４側に位置する部分が他方のケース側板１ｂの上端部に配置される。そのため、ガード部８における最も吹出口４側に位置する部分において、多数の吸込孔（図示せず）以外に付着した結露水が、他方のケース側板１ｂの表面に沿って商品収納域１ｃの下部に至る虞がある。したがって、商品収納域１ｃの下部に至る結露水が、陳列した商品に付着する虞があり、これにより商品の購買力の低下を招来する虞があった。
【０００９】
本発明は、上記実情に鑑みて、ガード部材に付着した結露水や霜が、商品収納域に至る事態を確実に防止することのできるショーケースを提供することを目的とする。
【課題を解決するための手段】
【００１０】
上記の目的を達成するために、本発明の請求項１に係るショーケースは、商品を陳列するための商品収納域が内部に画成され、この商品収納域と外部とを連通する態様で開口部が形成された商品陳列ケースと、冷却された空気を吹き出すための吹出口に対向する態様で、前記商品陳列ケースの開口部に吸込口が形成された空気流通ダクトとを備え、前記吹出口から前記吸込口に冷却された空気を流通させるショーケースにおいて、前記空気流通ダクトの内部に配設され、商品が前記吸込口を通過することを阻止する板状のガード部材を備え、前記ガード部材は、空気の流通方向の上流側となる先端部を、この先端部よりも下方に位置する前記吸込口の縁部に対して、空気の流通方向の下流側に退避した位置に配置したものであることを特徴とする。
【００１１】
上記の目的を達成するために、本発明の請求項２に係るショーケースは、上述した請求項１において、前記ガード部材は、前記先端部から空気の流通方向の下流側に向かうにつれて漸次下方に傾斜する態様で配設したものであることを特徴とする。
【００１２】
上記の目的を達成するために、本発明の請求項３に係るショーケースは、上述した請求項１において、前記ガード部材は、複数の板状部材を互いにそれぞれ間隔を確保した状態で並設して構成し、前記板状部材における空気の流通方向の上流側となる先端部を、この先端部よりも下方に位置する前記吸込口の縁部に対して、空気の流通方向の下流側に退避した位置にそれぞれ配置したものであることを特徴とする。
【発明の効果】
【００１３】
本発明にかかるショーケースは、ガード部材が、空気の流通方向の上流側となる先端部を、この先端部よりも下方に位置する吸込口の縁部に対して、空気の流通方向の下流側に所定の間隔を確保した位置に配置してある。このため、ガード部材における空気の流通方向の上流側となる先端部が、この先端部よりも下方に位置する吸込口の縁部に対して空気流通ダクトの内方側に配置されることになり、ガード部材に結露水や霜が付着したとしても、この結露水や霜が商品収納域に至る事態を確実に防止することができる。したがって、結露水や霜が陳列した商品に付着する虞がなく、これにより商品の購買力の低下を招来する虞もない。
【発明を実施するための最良の形態】
【００１４】
以下に添付図面を参照して、本発明にかかるショーケースの好適な実施の形態を詳細に説明する。
【００１５】
図１は、本発明の実施の形態であるショーケースを示す断面側面図、図２は、図１に示した吸込口をショーケースの内部から見た断面図、図３は、図１におけるＡ部詳細図である。ここで例示するショーケース１０は、図１に示すように、上面に開口部を有した平型ショーケースであり、内部に収納した商品を冷却した状態で販売するためのものである。
【００１６】
ショーケース１０は、図１に示すように、本体キャビネット２０を備えている。本体キャビネット２０は、長方形状を成す開口部２１を上面に有した略直方状の断熱筐体であり、その内部に商品陳列ケース３０が構成されている。
【００１７】
商品陳列ケース３０は、図１および図２に示すように、底板３３および一対のケース側板３２，３２を、互いに対向する本体キャビネット２０の側壁２２に適宜支持させることにより、上面が開口した箱状に構成してある。この商品陳列ケース３０の内部には、商品を陳列するための商品収納域３１が画成されている。図１からも明らかなように、商品陳列ケース３０は、互いに対向する一対のケース側板３２，３２が、それぞれ本体キャビネット２０における開口部２１の図１において対向する縁部の鉛直下方域に配置されており、開口部２１を通じて外部（上方）から商品収納域３１の全域を視認することが可能である。以下の説明において、図１において右側となる一方のケース側板３２を「第１ケース側板３２ａ」、図１において左側となる他方のケース側板３２を「第２ケース側板３２ｂ」と称する。
【００１８】
このような本体キャビネット２０と商品陳列ケース３０との間には、図１および図２に示すように、空気流通ダクト４０が形成してある。空気流通ダクト４０は、本体キャビネット２０の側壁２２と商品陳列ケース３０の一対のケース側板３２，３２との間の空間、および本体キャビネット２０の底壁２３と商品陳列ケース３０の底板３３との間の空間を連通する態様で略コの字状（図１参照）に形成してある。また、空気流通ダクト４０の一方の端部は、商品陳列ケース３０における第１ケース側板３２ａの上端部と、この上端部の鉛直上方域に配置された本体キャビネット２０における上壁２４の端部との間の空間に連通して吹出口４１を形成している。一方、空気流通ダクト４０の他方の端部は、商品陳列ケース３０における第２ケース側板３２ｂの上端部と、この上端部の鉛直上方域に配置された本体キャビネット２０における上壁２４の端部との間の空間に連通して吸込口４２を形成している。図１からも明らかなように、空気流通ダクト４０において吹出口４１と吸込口４２とは、互いに対向する態様で形成してある。
【００１９】
また、空気流通ダクト４０の内部には、図１に示すように、送風ファン４３および冷却手段４４が配設してある。送風ファン４３は、回転駆動した場合に、空気流通ダクト４０の内部において吸込口４２側から吹出口４１側に空気を送出するものである。この送風ファン４３は、空気流通ダクト４０において本体キャビネット２０の底壁２３と商品陳列ケース３０の底板３３との間となる部位に配設してある。冷却手段４４は、例えば、圧縮機、凝縮器、膨張弁および蒸発器を備え、これらの間で冷媒を循環する冷凍サイクルを構成して蒸発器で周囲空気を冷却するものである。この冷却手段４４は、空気流通ダクト４０において送風ファン４３に隣接して配設してあり、駆動した場合に、空気流通ダクト４０の内部において送風ファン４３が吹出口４１側（図１において右側）に送出する空気を冷却することになる。さらに、図には明示していないが、空気流通ダクト４０の内部において冷却手段４４に隣接する部位には、駆動した場合に、周囲空気を加熱して当該冷却手段４４の除霜を行うヒータが配設してある。
【００２０】
さらに、空気流通ダクト４０の内部には、図１に示すように、吹出口４１の近傍に案内部材５０が配設してある一方、吸込口４２の近傍にガード部材６０が配設してある。
【００２１】
案内部材５０は、空気流通ダクト４０において吹出口４１を通過する空気を吸込口４２に向けて案内するとともに、商品が吹出口４１を通過することを阻止するためのもので、複数（本実施の形態では３つ）の板状部材５１で構成してある。板状部材５１は、長手状を成す板状の部材であり、商品陳列ケース３０が支持される本体キャビネット２０の側壁２２にそれぞれの両端部を支持させることにより、互いにそれぞれ間隔を確保した状態で、上下方向に並設してある。本実施の形態では、この板状部材５１は、略鉛直に沿って延在する態様で配置される鉛直部５１ａと、この鉛直部５１ａの上端部から吸込口４２に向けて略水平に延在する水平部５１ｂとをそれぞれ有している。また、図１からも明らかなように、板状部材５１における水平部５１ｂの延在端部（吸込口４２側端部）は、商品陳列ケース３０における第１ケース側板３２ａの鉛直上方域にそれぞれ配置してある。
【００２２】
ガード部材６０は、空気流通ダクト４０において吸込口４２を通過する空気を下方に向けて案内するとともに、商品が吸込口４２を通過することを阻止するためのもので、複数（本実施の形態では３つ）の板状部材６１で構成してある。板状部材６１は、図２に示すように、長手状を成す板状の部材であり、商品陳列ケース３０が支持される本体キャビネット２０の側壁２２にそれぞれの両端部を支持させることにより、互いにそれぞれ間隔を確保した状態で、上下方向に並設してある。
【００２３】
本実施の形態では、板状部材６１は、図３に示すように、本体キャビネット２０の側壁２２側（図３において左側）に向かうにつれて漸次下方に傾斜延在する態様で配置される第１傾斜部６１ａと、この第１傾斜部６１ａの一端部（側壁２２側端部）から本体キャビネット２０の側壁２２側（図３において左側）に向かうにつれてさらに下方に傾斜延在する第２傾斜部６１ｂとをそれぞれ有している。また、図３からも明らかなように、板状部材６１における第１傾斜部６１ａの起端部（吹出口４１側端部）は、商品陳列ケース３０における第２ケース側板３２ｂに対して本体キャビネット２０の側壁２２側（図３において左側）に所定の間隔ｄを確保した位置にそれぞれ配置してある。具体的には、間隔ｄは、商品収納域３１に陳列される商品の通過を阻止することのできる大きさに設定してある。
【００２４】
上記のように構成したショーケース１０では、送風ファン４３および冷却手段４４を駆動すると、図１中の矢印で示すように、送風ファン４３が送出する空気が冷却手段４４の周囲を通過する際に冷却・除湿されることになる。そして、冷却手段４４によって冷却・除湿された空気は、空気流通ダクト４０の吹出口４１を通じて吸込口４２に向けて吹き出されてエアカーテンを形成することになる。その後、空気流通ダクト４０の吸込口４２から吸い込まれた空気は、図１中の矢印で示すように、冷却手段４４によって冷却・除湿されながら再び吹出口４１に送出されることになる。したがって、前述したエアカーテンと空気流通ダクト４０に内部とで循環する空気により、商品陳列ケース３０の内部を冷却することができ、これにより商品収納域３１に陳列した商品を冷却することができる。
【００２５】
この間、空気循環ダクト４０の吹出口４１を通過する空気は、案内部材５０における板状部材５１の相互間を吸込口４２に向けて案内されながら通過することになる。一方、空気流通ダクト４０の吸込口４２を通過する空気は、ガード部材６０における板状部材６１の相互間を下方に向けて案内されながら通過することになる。そのため、前述したエアカーテンと空気流通ダクト４０とで循環する空気の流通の円滑化を図ることができる。したがって、商品収納域３１の商品温度の安定化を図ることができる。
【００２６】
また、上記ように構成したショーケース１０では、案内部材５０における板状部材５１の水平部５１ｂの延在端部（吸込口４２側端部）が、商品陳列ケース３０における第１ケース側板３２ａの鉛直上方域にそれぞれ配置してある。そのため、商品収納域３１に陳列される商品が吹出口４１を通過することを阻止することができ、商品が空気流通ダクト４０の内部下方に落下する虞がない。一方、ガード部材６０における板状部材６１の第１傾斜部６１ａの起端部（吹出口４１側端部）が、商品陳列ケース３０における第２ケース側板３２ｂに対して本体キャビネット２０の側壁２２側（図３において左側）に所定の間隔ｄを確保した位置にそれぞれ配置してある。そのため、商品収納域３１に陳列される商品が吸込口４２を通過することを阻止することができ、商品が空気流通ダクト４０の内部下方に落下する虞がない。
【００２７】
ところで、上述したように送風ファン４３および冷却手段４４の駆動を継続していると、やがてガード部材６０の板状部材６１に結露水が付着する場合がある。このように板状部材６１に付着した結露水が、商品陳列ケース３０の商品収納域３１に落下すると、結露水が陳列した商品に付着する虞があり、これにより商品の購買力の低下を招来する虞がある。また、板状部材６１に付着した結露水が霜となる場合もある。このように板状部材６１に付着した霜が、図示せぬヒータを駆動して除霜した場合に、商品陳列ケース３０の商品収納域３１に落下して陳列した商品に付着する虞があり、これにより商品の購買力の低下を招来する虞がある。
【００２８】
そこで、上記のように構成したショーケース１０では、ガード部材６０における板状部材６１の第１傾斜部において、空気の流通方向の上流側となる先端部（吹出口４１側端部）が、吸込口４２の縁部（第２ケース側板３２ｂの上端部）に対して、空気の流通方向の下流側に所定の間隔ｄを確保した位置、すなわち退避した位置に配置してある。このため、板状部材６１の第１傾斜部６１ａにおいて、空気の流通方向の上流側となる先端部が、空気流通ダクト４０の内方側に配置されることになり、板状部材６１に結露水や霜が付着したとしても、この結露水や霜が商品陳列ケース３０の商品収納域３１に落下する事態を防止することができる。したがって、結露水や霜が陳列した商品に付着する虞がなく、これにより商品の購買力の低下を招来する虞もない。
【００２９】
さらに、上記のように構成したショーケース１０では、第１傾斜部６１ａが、空気の流通方向の上流側となる先端部（吹出口４１側端部）から空気の流通方向の下流側に向かうにつれて漸次下方に傾斜する態様でガード部材６０の板状部材６１が配設してある。そのため、板状部材６１の第１傾斜部６１ａに結露水や霜が付着したとしても、この結露水や霜が第１傾斜部６１ａの表面に沿って本体キャビネット２０の側壁２２側（図３において左側）に移動し易くなる。したがって、板状部材６１に付着した結露水や霜が商品陳列ケース３０の商品収納域３１に落下する事態をより確実に防止することができる。
【００３０】
なお、本実施の形態では、複数の板状部材６１で構成したガード部材６０を例示しているが、必ずしも複数の板状部材６１で構成する必要はなく、単一の板状部材をガード部材として構成してもよい。
【００３１】
また、本実施の形態では、第１傾斜部６１ａが、本体キャビネット２０の側壁２２側（図３において左側）に向かうにつれて漸次下方に傾斜延在する態様でガード部材６０の板状部材６１を配設しているが、必ずしも第１傾斜部６１ａが本体キャビネット２０の側壁２２側に向かうにつれて漸次下方に傾斜延在する態様でガード部材６０の板状部材６１を配設しなくてもよい。例えば、第１傾斜部６１ａを略水平に延在する態様でガード部材６０の板状部材６１を配設しても良い。この場合、板状部材６１の第１傾斜部６１ａの一端部（側壁２２側端部）から略鉛直に沿って延在するように第２傾斜部６１ｂを構成しても良い。
【産業上の利用可能性】
【００３２】
上面に開口部を有した平型ショーケースに有用であり、特に、ガード部材に付着した結露水や霜の商品収納域への落下防止性に配慮したショーケースに適している。
【図面の簡単な説明】
【００３３】
【図１】本発明の実施の形態であるショーケースを示す断面側面図である。
【図２】図１に示した吸込口をショーケースの内部から見た断面図である。
【図３】図１におけるＡ部詳細図である。
【図４】従来のショーケースを示す断面側面図である。
【符号の説明】
【００３４】
１０    ショーケース
２０    本体キャビネット
３０    商品陳列ケース
３１    商品収納域
３２    ケース側板
３２ａ    第１ケース側板
３２ｂ    第２ケース側板
３３    底板
４０    空気流通ダクト
４１    吹出口
４２    吸込口
４３    送風ファン
４４    冷却手段
５０    案内部材
６０    ガード部材
６１    板状部材
６１ａ    第１傾斜部
６１ｂ    第２傾斜部
【図１】
2010019513.tif 000003
【図２】
2010019513.tif 000004
【図３】
2010019513.tif 000005
【図４】
2010019513.tif 000006